(57)【要約】【課題】分解ガスから酸成分をより確実に除去するとともに、酸成分を乾式除去するための薬剤の交換をより円滑に行うことができる過弗化物の処理装置等を提供する。【解決手段】過弗化物を含むガスおよび水を加熱し触媒により過弗化物を加水分解して分解ガスを生成する加熱手段と、加熱手段の前段および後段に配される熱交換手段と、分解ガス中の酸成分を乾式除去する酸成分除去手段と、を備え、酸成分除去手段は、開閉可能であり開いた状態になるときに反応後の薬剤を取り出すシャッタ２５１ａ〜シャッタ２５１ｅ（シャッタ２５１）と、シャッタ２５１の間に配され、上方からシャッタ２５１へ向かう斜面Ｓ１、Ｓ２を有するとともに斜面Ｓ１、Ｓ２に分解ガスは通過させる一方で薬剤は通過させない大きさのスリット２５２ａを有するスリット部２５２と、を装置底部に備えることを特徴とする過弗化物の処理装置。【選択図】図５
2014213217.tif 000002
【特許請求の範囲】
【請求項１】
開閉可能であり、閉じた状態から開いた状態になるときに反応後の薬剤を取り出す薬剤取り出し部と、
前記薬剤取り出し部の間に配され、上方から当該薬剤取り出し部へ向かう斜面を有するとともに、当該斜面に分解ガスは通過させる一方で薬剤は通過させない大きさの開口部を有する分解ガス導入部と、
を備える酸成分除去手段を有することを特徴とする過弗化物の処理装置。
【請求項２】
過弗化物を含むガスおよび水を加熱するとともに、予め定められた触媒により過弗化物を加水分解して酸性ガスを含む分解ガスを生成する加熱手段と、
前記加熱手段の前段および後段に配され、当該加熱手段に流入する前の過弗化物を含むガスおよび水と当該加熱手段から流出した後の分解ガスとの間で熱交換を行なう熱交換手段と、
前記熱交換手段から流出した後の分解ガスから、酸成分を薬剤と反応させることで乾式除去する酸成分除去手段と、
を備え、
前記酸成分除去手段は、
開閉可能であり、閉じた状態から開いた状態になるときに反応後の薬剤を取り出す薬剤取り出し部と、
前記薬剤取り出し部の間に配され、上方から当該薬剤取り出し部へ向かう斜面を有するとともに、当該斜面に分解ガスは通過させる一方で薬剤は通過させない大きさの開口部を有する分解ガス導入部と、
を装置底部に備えることを特徴とする過弗化物の処理装置。
【請求項３】
前記薬剤取り出し部と前記分解ガス導入部とは、列状に交互に配列することを特徴とする請求項２に記載の過弗化物の処理装置。
【請求項４】
前記分解ガス導入部の前記斜面は、互いに逆方向を向く２つの斜面からなることを特徴とする請求項２または３に記載の過弗化物の処理装置。
【請求項５】
前記薬剤取り出し部は、円弧状のシャッタであり、当該シャッタが予め定められた回転中心に沿って移動することで開閉動作を行うことを特徴とする請求項２乃至４の何れか１項に記載の過弗化物の処理装置。
【請求項６】
前記酸成分除去手段の上方から薬剤を供給する薬剤供給手段を更に備え、
前記酸成分除去手段に導入する分解ガスは、当該酸成分除去手段の上方から排出することを特徴とする請求項２乃至５の何れか１項に記載の過弗化物の処理装置。
【発明の詳細な説明】
【技術分野】
【０００１】
本発明は、例えば、過弗化物を分解して処理するために用いられる過弗化物の処理装置に関する。
【背景技術】
【０００２】
例えば、半導体デバイスや液晶デバイスの製造プロセスにおいて、微細パターンを形成するためエッチングやクリーニングを行うことがある。この際に過弗化物が使用される場合が多い。また、過弗化物は、一般に安定で、人体に対し無害なものが多いため、他にも例えば、エアコンの冷媒用などに使用されている。
しかしながら、これらの過弗化物の中には、大気中に放出されると、地球環境に対し大きな影響を与えるものが多い。即ち、大気中で長期間安定に存在し、地球温暖化係数が大きい性質を有するため、地球温暖化の一因となり得る。そして、上述のように過弗化物は一般に安定であり、その影響は長期間続く場合が多い。
そこで、地球環境に影響を与えないために、使用された過弗化物を分解し、地球環境に対し無害な状態にして大気中に放出する必要がある。
【０００３】
特許文献１には、ハロゲンとしてフッ素のみを含有するフッ素化合物を含むガス流を、水蒸気の存在下でＡｌとＮｉ、ＡｌとＺｎ、ＡｌとＴｉからなる触媒のようにＡｌを含んでなる触媒と約２００〜８００℃で接触させて、ガス流中のフッ素をフッ化水素に転化するフッ素含有化合物の分解処理方法が開示されている。
また特許文献２には、触媒層が設けられて過弗化物を含む排ガスが供給され、過弗化物を分解する過弗化物分解装置と、過弗化物分解装置から排出された排ガスに含まれた酸性物質がＣａ塩と反応して生成される第１反応生成物を除去する酸性物除去装置とを備えていることを特徴とする過弗化物処理装置が開示されている。
【先行技術文献】
【特許文献】
【０００４】
【特許文献１】特開２００１−２２４９２６号公報
【特許文献２】特開２００８−２４６４８５号公報
【発明の概要】
【発明が解決しようとする課題】
【０００５】
しかしながら、過弗化物を加水分解することで生成する分解ガスにはＨＦ等の酸成分が含まれる場合がある。そして酸成分を除去するのに薬剤を使用する場合、分解ガスから酸成分をより確実に除去するとともに、薬剤の交換をより円滑に行えることが望ましい。
【０００６】
本発明は、分解ガスから酸成分をより確実に除去するとともに、酸成分を乾式除去するための薬剤の交換をより円滑に行うことができる過弗化物の処理装置を提供することを目的とする。
【課題を解決するための手段】
【０００７】
かくして本発明によれば、開閉可能であり、閉じた状態から開いた状態になるときに反応後の薬剤を取り出す薬剤取り出し部と、薬剤取り出し部の間に配され、上方から薬剤取り出し部へ向かう斜面を有するとともに、斜面に分解ガスは通過させる一方で薬剤は通過させない大きさの開口部を有する分解ガス導入部と、を備える酸成分除去手段を有することを特徴とする過弗化物の処理装置が提供される。
【０００８】
また本発明によれば、過弗化物を含むガスおよび水を加熱するとともに、予め定められた触媒により過弗化物を加水分解して酸性ガスを含む分解ガスを生成する加熱手段と、加熱手段の前段および後段に配され、加熱手段に流入する前の過弗化物を含むガスおよび水と加熱手段から流出した後の分解ガスとの間で熱交換を行なう熱交換手段と、熱交換手段から流出した後の分解ガスから、酸成分を薬剤と反応させることで乾式除去する酸成分除去手段と、を備え、酸成分除去手段は、開閉可能であり、閉じた状態から開いた状態になるときに反応後の薬剤を取り出す薬剤取り出し部と、薬剤取り出し部の間に配され、上方から薬剤取り出し部へ向かう斜面を有するとともに、斜面に分解ガスは通過させる一方で薬剤は通過させない大きさの開口部を有する分解ガス導入部と、を装置底部に備えることを特徴とする過弗化物の処理装置が提供される。
【０００９】
ここで、薬剤取り出し部と分解ガス導入部とは、列状に交互に配列することが好ましく、分解ガス導入部の斜面は、互いに逆方向を向く２つの斜面からなることが好ましい。
また薬剤取り出し部は、円弧状のシャッタであり、シャッタが予め定められた回転中心に沿って移動することで開閉動作を行うことが好ましく、酸成分除去手段の上方から薬剤を供給する薬剤供給手段を更に備え、酸成分除去手段に導入する分解ガスは、酸成分除去手段の上方から排出することが好ましい。
【発明の効果】
【００１０】
酸成分除去手段に、開閉可能であり、閉じた状態から開いた状態になるときに反応後の薬剤を取り出す薬剤取り出し部と、薬剤取り出し部の間に配され、上方から薬剤取り出し部へ向かう斜面を有するとともに、斜面に分解ガスは通過させる一方で薬剤は通過させない大きさの開口部を有する分解ガス導入部を設けることで、分解ガスの導入と薬剤の取り出しを同じ装置底部から行うことができるとともに、分解ガスの流通とカルシウム塩の流通とが互いに影響を与えにくくなる。
【００１１】
薬剤取り出し部と分解ガス導入部とが、列状に交互に配列することで、酸成分除去手段内部に分解ガスをより均一に導入することができるとともに薬剤を取り出す量を制御しやすくなる。
【００１２】
分解ガス導入部の斜面が、互いに逆方向を向く２つの斜面からなることで、この斜面により薬剤を薬剤取り出し部までより円滑に案内することができる。
【００１３】
薬剤取り出し部が、円弧状のシャッタであり、このシャッタが予め定められた回転中心に沿って移動することで開閉動作を行うことで、シャッタの開閉をより行いやすくなるとともにシャッタの開閉を行なう機構部の構造をコンパクトなサイズにすることが出来る。
【００１４】
酸成分除去手段の上方から薬剤を供給する薬剤供給手段を更に備え、酸成分除去手段に導入する分解ガスは、酸成分除去手段の上方から排出することで、未反応の薬剤がほとんど生じず、薬剤の無駄な消費量を少なくすることができる。
【図面の簡単な説明】
【００１５】
【図１】本実施の形態の過弗化物の処理装置が適用される半導体製造工場の全体構成について説明した図である。
【図２】本実施の形態の過弗化物の処理装置の概略構成について説明した図である。
【図３】本実施の形態の過弗化物の処理装置を構成する各機器を示した図である。
【図４】反応温度と過弗化物の分解率との関係を説明した図である。
【図５】酸成分除去装置の底部について示した図である。
【図６】図５のＶＩ方向から酸成分除去装置の底部を見た図である。
【図７】図６のＶＩＩ方向から酸成分除去装置の底部を見た図である。
【図８】過弗化物の処理装置の動作について説明したフローチャートである。
【図９】実際に製造された過弗化物の処理装置を上方から見た図である。
【図１０】実際に製造された過弗化物の処理装置を図９のＶＩＩ方向から見た図である。
【図１１】図９のＸ−Ｘ断面図である。
【発明を実施するための形態】
【００１６】
以下、本発明を実施する形態について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【００１７】
＜半導体製造工場の全体構成の説明＞
図１は、本実施の形態の過弗化物の処理装置が適用される半導体製造工場の全体構成について説明した図である。
図示するように本実施の形態の半導体製造工場は、半導体の製造を行う半導体製造設備１と、過弗化物を分解処理する過弗化物の処理装置２と、酸性ガスの捕集を行う酸スクラバ３とを備える。
半導体製造設備１は、通常はクリーンルームとなっており、図示する例では、半導体であるシリコン・ポリシリコンをエッチングするＰ−Ｓｉエッチャ１１と、絶縁膜である酸化シリコン（ＳｉＯ２）等の酸化膜をエッチングする酸化膜エッチャ１２と、配線に使用するために金属膜をエッチングするメタルエッチャ１３とを備える。
Ｐ−Ｓｉエッチャ１１、酸化膜エッチャ１２、メタルエッチャ１３は、乾式エッチング（ドライエッチング）装置であり、例えば、プロセスチャンバ内で、反応性のエッチングガスを用いてエッチングを行う反応性イオンエッチング（ＲＩＥ：Reactive Ion Etching）装置である。
【００１８】
Ｐ−Ｓｉエッチャ１１、酸化膜エッチャ１２、メタルエッチャ１３で用いるエッチングガスはそれぞれ異なるが、各装置で乾式エッチングを行った後に排気されるガスには、このエッチングガスに起因する種々の過弗化物（以下、ＰＦＣ（perfluorocompound）とも云う）やＣＨＦ３などが含まれる。この過弗化物は、ＣＦ４、Ｃ２Ｆ６、Ｃ３Ｆ８、Ｃ４Ｆ８、Ｃ５Ｆ８、ＳＦ６等が例示される。そして過弗化物を含む排気されたガス、すなわちエッチング排ガスは、塩素（Ｃｌ２）ガス等の有毒ガスが毒性ガス除害装置１４で除去された後、収集ダクト１５により半導体製造設備１外に排出される。本実施の形態では、半導体製造設備１外に排出されるエッチング排ガスは、例えば、キャリアガスとしてのＮ２（窒素）ガス９９％に、過弗化物等を１％含むガスである。本実施の形態では、エッチング排ガスに含まれる過弗化物は、１％以下であることが好ましい。また排出されるエッチング排ガスの流量は、例えば、３０００Ｌ／ｍｉｎ〜３５００Ｌ／ｍｉｎである。
【００１９】
過弗化物の処理装置２は、詳しくは後述するが、半導体製造設備１から排出されるエッチング排ガス中に含まれる過弗化物を分解することで過弗化物を除害した後、排気ガスとして排出する。そのために半導体製造設備１の各設備から排出され、ダクトを介して集められたエッチング排ガスは、三方弁４を経由して過弗化物の処理装置２に導入される。過弗化物の処理装置２は、クリーンルーム内に設置する必要がなく、通常は半導体製造設備１の外側に設置される。
【００２０】
酸スクラバ３は、酸性ガスを捕集する。そして酸性ガスの捕集をした後の無害化したガスを半導体製造工場外に排出する。酸スクラバ３は、過弗化物の処理装置２で、過弗化物を完全に除去しきれなかった場合でも、過弗化物を捕集する役割を担う。また過弗化物の処理装置２に故障等が生じた場合でも、過弗化物の処理装置２のバックアップとしての役割を担う。つまり通常の状態では、過弗化物を含むガスは、三方弁４により過弗化物の処理装置２に導入され、過弗化物の処理装置２により過弗化物が分解され、処理される。しかし過弗化物の処理装置２に故障等が生じた場合は、三方弁４を切替え、過弗化物を含むガスを直接酸スクラバ３に導入されるようにする。
なお図１には図示していないが、三方弁４の上流側において、半導体製造設備１から排出されるエッチング排ガス中に含まれる酸性ガスを捕集するアルカリスクラバを設けてもよい。
【００２１】
＜過弗化物の処理装置の構成の説明＞
以後、過弗化物の処理装置２についてさらに詳しく説明を行う。
図２は、本実施の形態の過弗化物の処理装置２の概略構成について説明した図である。
図示するように過弗化物の処理装置２は、導入された装置入口排ガス（エッチング排ガス）を前処理する前処理ユニット２１と、前処理ユニット２１で前処理された装置入口排ガスに含まれる過弗化物を分解する過弗化物分解ユニット２２と、過弗化物分解ユニット２２で過弗化物を分解した際に生成されるＨＦ（弗化水素）を含む分解ガスを吸着することで乾式除去するＨＦ吸着ユニット２３とを備える。そしてこれらの各ユニットにより装置入口排ガスを処理し無害化を行った後、排気ガスとして過弗化物の処理装置２外に排出する。
【００２２】
図３は、本実施の形態の過弗化物の処理装置２を構成する各機器を示した図である。
図２で説明したように過弗化物の処理装置２は、前処理ユニット２１と、過弗化物分解ユニット２２と、ＨＦ吸着ユニット２３とを主として備える。また図示するように過弗化物の処理装置２は、制御ユニット２４を備え、過弗化物の処理装置２に備えられた各機器およびバルブ（図示せず）等の制御を行う。
【００２３】
前処理ユニット２１は、装置入口排ガスの予熱を行う入口加熱器２１１と、微粒子の除去を行うフィルタ２１２とを備える。
入口加熱器２１１は、装置入口排ガスを予熱することにより装置入口排ガス中に含まれる微小な水滴（ミスト）を蒸発させる。入口加熱器２１１は、装置入口排ガスが通過する配管の周囲にヒータ２１１ａを備える。そして装置入口排ガスは、入口加熱器２１１を通過する際にヒータ２１１ａにより加熱され、ミストが蒸発する温度でまで予熱される。このとき予熱される装置入口排ガスの温度は例えば、６０℃とすることができる。これにより次のフィルタ２１２においてフィルタがミストにより閉塞することが抑制できる。
【００２４】
フィルタ２１２は、装置入口排ガスに含まれる固形分としての微粒子の除去を行う。半導体製造設備１では、上述した、乾式エッチングを行う際に削られた酸化シリコン等の微粒子が生じる。そしてこの微粒子が装置入口排ガスに混入するため、フィルタ２１２により除去を行う。フィルタ２１２は、装置入口排ガスを通過させるとともに微粒子を捕集することができるものであれば特に限定されることはないが、例えば、メッシュフィルタなどを用いることができる。
【００２５】
なお本実施の形態では、入口加熱器２１１とフィルタ２１２との間で空気を導入する。次の過弗化物分解ユニット２２において一酸化炭素の生成を抑制するために、酸素が必要となる場合があり、そのためこの段階で空気を装置入口排ガスと混合する。
また本実施の形態では、詳しくは後述するが、フィルタ２１２を通過した後の装置入口排ガスは、いったん熱交換器２３１に入る。そして熱交換器２３１における熱交換により装置入口排ガスが加熱される。さらにこのとき次の過弗化物分解ユニット２２において過弗化物を分解するための反応に必要な水が液体の状態で添加される。この水は、熱交換器２３１において装置入口排ガスとともに加熱され気体の水蒸気となる。そして装置入口排ガスと混合しつつ移送される。本実施の形態では、水として純水を使用し、添加量は、後述の反応式に見合った量であり、例えば、３５０ｍＬ／ｍｉｎである。また、この水はあらかじめ加熱して水蒸気として熱交換器２３１に添加しても良い。
【００２６】
過弗化物分解ユニット２２は、装置入口排ガスおよび水を加熱するとともに、予め定められた触媒により過弗化物を加水分解して酸性ガスを含む分解ガスを生成する加熱手段の一例である。そして過弗化物分解ユニット２２は、第１加熱器２２１と第２加熱器２２２の２つの加熱器を備える。
【００２７】
第１加熱器２２１は、内部にヒータ２２１ａが配されており、このヒータ２２１ａにより装置入口排ガス、および熱交換器２３１で添加され水蒸気となった水を加熱する。第１加熱器２２１を通過した後の装置入口排ガスは、例えば、４５０℃〜５００℃となっている。本実施の形態では、第１加熱器２２１を装置入口排ガスの流路が水平方向となる横型の加熱器としている。
【００２８】
第２加熱器２２２は、上方から装置入口排ガスを導入し、まず内部に備えられたヒータ２２２ａにより、装置入口排ガスおよび水蒸気をさらに加熱する。これにより装置入口排ガスは、例えば、７５０℃に加熱される。
そしてさらに加熱された装置入口排ガスは、第２加熱器２２２の下方に配された触媒層２２２ｂにおいて、装置入口排ガスに混合していた水（水蒸気）と反応し、分解される。
このときの分解反応として、過弗化物として、ＣＦ４、ＣＨＦ３、Ｃ２Ｆ６およびＳＦ６の場合を例に採り、下記に反応式を示す。
【００２９】
ＣＦ４＋２Ｈ２Ｏ→ＣＯ２＋４ＨＦ    …（１）
ＣＨＦ３＋（１／２）Ｏ２＋Ｈ２Ｏ→ＣＯ２＋３ＨＦ    …（２）
Ｃ２Ｆ６＋３Ｈ２Ｏ＋（１／２）Ｏ２→２ＣＯ２＋６ＨＦ    …（３）
ＳＦ６＋３Ｈ２Ｏ→ＳＯ３＋６ＨＦ    …（４）
【００３０】
上記（１）式〜（４）式からわかるように、過弗化物は加水分解反応により、酸成分であるＨＦ（弗化水素）を含む分解ガスとなる。またこの場合ＨＦは、分解ガスに含まれる酸性ガスとして捉えることもできる。
【００３１】
図４は、反応温度と過弗化物の分解率との関係を説明した図である。
ここでエッチング排ガスに含まれる過弗化物として、ＣＦ４、ＣＨＦ３、Ｃ２Ｆ６、Ｃ３Ｆ８、Ｃ４Ｆ８、Ｃ５Ｆ８、ＳＦ６、ＮＦ３を例示している。また過弗化物ではないが、半導体製造設備１から排出されるガス中に含まれる成分としてＣＯについても併せて図示している。
図示するように何れの成分も７５０℃近辺においてほぼ１００％の分解率となるため、７５０℃の温度で反応させることで、過弗化物等がほぼ除去できることになる。
【００３２】
また触媒層２２２ｂを構成する触媒としては、本実施の形態では、Ａｌ２Ｏ３（酸化アルミニウム）にＺｎ（亜鉛）、Ｎｉ（ニッケル）、Ｔｉ（チタン）、Ｆ（弗素）、Ｓｎ（スズ）、Ｃｏ（コバルト）、Ｚｒ(ジルコニウム)、Ｃｅ（セリウム）、Ｓｉ（ケイ素）等の酸化物を含むものを使用することができる。より具体的には、例えば、Ａｌ２Ｏ３（酸化アルミニウム）が８０質量％、ＮｉＯ（酸化ニッケル）２０質量％の組成からなるものを使用することができる。
【００３３】
第２加熱器２２２で過弗化物が分解された後のＨＦを含む分解ガスは、第２加熱器２２２の下方から排出され、次のＨＦ吸着ユニット２３に送られる。なおこのとき第２加熱器２２２から排出される分解ガスの温度は、６００℃〜７００℃程度である。
【００３４】
ＨＦ吸着ユニット２３は、第１加熱器２２１と第２加熱器２２２の前段および後段に配され第１加熱器２２１に流入する前の装置入口排ガスと第２加熱器２２２から流出した後の分解ガスとの間で熱交換を行なう熱交換手段の一例である熱交換器２３１と、熱交換器２３１から流出した後の分解ガスから、酸成分を薬剤であるカルシウム塩と反応させることで乾式除去する酸成分除去手段の一例としての酸成分除去装置２３２と、酸成分除去装置２３２により酸成分が乾式除去された後の排気ガスを排出する排気ガス排出手段の一例としてのエゼクタ２３３とを備える。
【００３５】
またＨＦ吸着ユニット２３は、酸成分除去装置２３２の上方からＨＦを乾式除去するための薬剤であるカルシウム塩を供給する薬剤供給手段の一例である薬剤供給装置２３４と、酸成分除去装置２３２の下方から使用済みのカルシウム塩を排出する薬剤排出手段の一例である薬剤排出装置２３５と、酸成分除去装置２３２から流出した排気ガスに含まれるＨＦの濃度を検知する濃度検知手段の一例としてのＨＦ濃度センサ２３６と、ＨＦ濃度センサ２３６とエゼクタ２３３との間に配され、酸成分除去装置２３２にて生じた固形分を除去する粉末トラップ２３７とをさらに備える。
【００３６】
熱交換器２３１は、第２加熱器２２２から排出された後の高温の分解ガスと第１加熱器２２１に導入される前の前述した低温の装置入口排ガスとの間で熱交換を行う。これにより分解ガスの温度は低下するとともに、第１加熱器２２１に導入される前の装置入口排ガスの温度は上昇する。また前述の通り、熱交換器２３１に添加された水は蒸発し水蒸気となる。
熱交換器２３１を通過した後の分解ガスは、温度が３００℃〜５００℃程度まで低下し、熱交換器２３１を通過した後の装置入口排ガスは、温度が２００℃〜３００℃程度まで上昇する。
【００３７】
熱交換器２３１としては、特に限られるものではなく、２枚のプレートを交互に配置し、そのプレート間に流路を構成し、装置入口排ガスと分解ガスとの熱交換を行うプレートタイプの熱交換器や、シェル（円筒）と多数のチューブ（伝熱管）の中に、それぞれ装置入口排ガスや分解ガスを通し、相互間で熱交換を行うシェルアンドチューブタイプの熱交換器が使用できる。また二重管構造にして内管に高温の分解ガスを流し、外管に低温の装置入口排ガスを流す二重管式熱交換器であってもよい。また装置入口排ガスと分解ガスとは対向して流してもよく、並行して流してもよい。本実施の形態では、二重管式熱交換器を使用し、装置入口排ガスと分解ガスとは対向して流している。
【００３８】
酸成分除去装置２３２は、内部にカルシウム塩からなる薬剤層２３２ａが充填されており、分解ガス中に含まれるＨＦは、このカルシウム塩と吸着反応することで乾式除去される。カルシウム塩としてはＣａＣＯ３（炭酸カルシウム）、Ｃａ（ＯＨ）２（水酸化カルシウム）、ＣａＯ（酸化カルシウム）等を使用することができる。またカルシウム塩の形状としては、粉末状でもよいが、ハンドリングの容易さから円柱形状または球状等に成形されたペレットとすることが好ましい。本実施の形態では、例えば、Ｃａ（ＯＨ）２とＣａＣＯ３との混合物であってＣａＣＯ３：Ｃａ（ＯＨ）２＝５０質量％〜８０質量％：２０質量％〜５０質量％のものを使用する。この場合成形性がよく、ペレットとしたときに粉化することが抑制できる。また本実施の形態では、この混合物を、底面の直径が３ｍｍ程度、高さが８ｍｍ程度の円柱形状のペレットにして使用している。
【００３９】
このときの吸着反応として、カルシウム塩としてＣａＣＯ３やＣａ（ＯＨ）２を使用した場合を例に採り、下記に反応式を示す。
【００４０】
ＣａＣＯ３＋２ＨＦ→ＣａＦ２＋ＣＯ２＋Ｈ２Ｏ    …（５）
Ｃａ（ＯＨ）２＋２ＨＦ→ＣａＦ２＋２Ｈ２Ｏ    …（６）
【００４１】
上記（５）式〜（６）式からわかるように、ＨＦはカルシウム塩と反応し、ＣａＦ２（弗化カルシウム（蛍石））、ＣＯ２（二酸化炭素）、およびＨ２Ｏ（水）が生じる。
【００４２】
エゼクタ２３３には、圧縮空気を流入させる圧縮空気配管が接続され、この圧縮空気を高速で流すことで生じる負圧により、排気ガスを吸引し、圧縮空気とともに過弗化物の処理装置２外に排出する。これにより排気ガスは、さらに温度が低下し、排出される。酸成分除去装置２３２から排出された後の排気ガスは、例えば、２００℃程度であるが、エゼクタ２３３から排出される排気ガスは、例えば、１００℃以下となる。
【００４３】
また分解ガスは、酸成分除去装置２３２の下方から導入するとともに、酸成分除去装置２３２の上方から排出する。そして分解ガスは、酸成分除去装置２３２の下方から上方へ流動する間に上記（５）式〜（６）式で例示したＨＦとカルシウム塩との反応が生じ、ＨＦが乾式除去される。このときカルシウム塩は、ＣａＦ２となり、これ以上の反応は生じないため、順次交換を行う必要がある。
【００４４】
そのため本実施の形態では、カルシウム塩を酸成分除去装置２３２に供給する薬剤供給装置２３４と、使用済みのカルシウム塩を酸成分除去装置２３２から排出する薬剤排出装置２３５を設けている。
【００４５】
本実施の形態では、ＨＦ濃度センサ２３６によりＨＦの濃度を監視し、ＨＦの濃度が、例えば、１００ｐｐｍに達したときは、カルシウム塩の交換時期になったと判断する。そして薬剤排出装置２３５に設けられたロータリーバルブ（図示せず）等の開閉を行い、所定量の使用済みのカルシウム塩を排出する。また使用済みのカルシウム塩を排出した後は、薬剤供給装置２３４に設けられたロータリーバルブ（図示せず）等の開閉を行い、排出した分の新たなカルシウム塩を供給する。このようにして酸成分除去装置２３２や薬剤排出装置２３５内のカルシウム塩は、順次交換される。なおこの一連の手順は、制御ユニット２４が、ＨＦ濃度センサ２３６から送られるＨＦの濃度に関する情報を取得し、そしてＨＦの濃度が、例えば、１００ｐｐｍに達したときに、薬剤供給装置２３４や薬剤排出装置２３５に設けられたロータリーバルブの開閉の制御を行うことで自動的に行われる。またこのときカルシウム塩は、全て交換してもよいが、通常は一部のみ交換が行われる。カルシウム塩の交換量としては、例えば、４０ｋｇ／ｈである。
【００４６】
図５は、酸成分除去装置２３２の底部について示した図である。図５では、酸成分除去装置２３２の底部を上方から見た場合を示している。また図６は、図５のＶＩ方向から酸成分除去装置２３２の底部を見た図である。即ち、図６は、酸成分除去装置２３２の底部を水平方向から見た場合を示している。さらに図７は、図６のＶＩＩ方向から酸成分除去装置２３２の底部を見た図である。即ち、図７は、酸成分除去装置２３２の底部を下方から見た場合を示しており、図５に示した酸成分除去装置２３２の底部を裏面から見た場合を示している。
【００４７】
以下、図５〜図７を使用して酸成分除去装置２３２の底部の構造について説明を行う。
酸成分除去装置２３２の底部は、カルシウム塩の取り出しを行うシャッタ２５１ａ、２５１ｂ、２５１ｃ、２５１ｄ、２５１ｅと、分解ガスの導入を行うスリット部２５２とを備える。なお以下、シャッタ２５１ａ、２５１ｂ、２５１ｃ、２５１ｄ、２５１ｅを区別しない場合は、シャッタ２５１と総称して言うことがある。
図示するようにシャッタ２５１とスリット部２５２とは、列状に交互に配列する。これにより図５および図６では、５つのシャッタ２５１ａ、２５１ｂ、２５１ｃ、２５１ｄ、２５１ｅの両側にスリット部２５２が位置するようになっている。
【００４８】
シャッタ２５１は、開閉可能であり、閉じた状態から開いた状態になるときに反応後のカルシウム塩を取り出す薬剤取り出し部、すなわち薬剤排出装置２３５の一部として機能する。
ここでシャッタ２５１は、円弧状をなし、このシャッタ２５１が予め定められた回転中心に沿って移動することで開閉動作を行う。この動作は、シャフト２５３ａ、２５３ｂ、２５３ｃ、２５３ｄ、２５３ｅ（以下、「シャフト２５３」と総称することがある）と、このそれぞれに対し連動し回転する取り付け部２５４ａ、２５４ｂ、２５４ｃ、２５４ｄ、２５４ｅ（以下、「取り付け部２５４」と総称することがある）とにより実現される。つまり取り付け部２５４にはシャッタ２５１が取り付けられているため、シャフト２５３が回転すると、取り付け部２５４を介してシャッタ２５１もシャフト２５３を回転中心として回転する。これによりシャッタ２５１は、開閉動作を行うことができる。なお図５〜図７では、シャッタ２５１が「閉」の状態を示している。
【００４９】
また取り付け部２５４には、連結アーム２５５ａ、２５５ｂ、２５５ｃ、２５５ｄがさらに取り付けられる。ここで連結アーム２５５ａは、取り付け部２５４ａと取り付け部２５４ｂとを連結し、連結アーム２５５ｂは、取り付け部２５４ｂと取り付け部２５４ｃとを連結する。さらに連結アーム２５５ｃは、取り付け部２５４ｃと取り付け部２５４ｄとを連結し、連結アーム２５５ｄは、取り付け部２５４ｄと取り付け部２５４ｅとを連結する。
【００５０】
また取り付け部２５４ａには、横アーム２５６の一端が取り付けられ、この横アーム２５６の他端には縦アーム２５７の一端がさらに接続される。そして縦アーム２５７の他端には、連結棒２５８の一端が接続される。
【００５１】
縦アーム２５７は、中心部２５７ａを中心に回転可能となっている。また連結棒２５８は、他端が酸成分除去装置２３２の外部に延び、外部からシャッタ２５１を操作するためのものである。この連結棒２５８は、Ｘ１方向およびＸ２方向に移動可能に構成される。そして連結棒２５８をＸ１方向に移動させる（引張る）と、縦アーム２５７が中心部２５７ａを中心に回転する。このとき縦アーム２５７は、上部が連結棒２５８に従ってＸ１方向に移動しつつ回転するとともに、下部は、Ｘ２方向に移動しつつ回転する。そのため縦アーム２５７の下部と接続される横アーム２５６もＸ２方向に移動する。
【００５２】
そして横アーム２５６がＸ２方向に移動すると、横アーム２５６に接続される取り付け部２５４ａがシャフト２５３ａを中心にしてＲ１方向に回転するため、シャッタ２５１ａもＲ１方向に回転する。これによりシャッタ２５１ａは「閉」の状態から「開」の状態となる。
【００５３】
また取り付け部２５４ａがＲ１方向に回転すると、この回転に従い連結アーム２５５ａがＸ１方向に移動し、これにより取り付け部２５４ｂがＲ１方向に回転する。これによりシャッタ２５１ｂについても「閉」の状態から「開」の状態となる。
【００５４】
さらに取り付け部２５４ｂがＲ１方向に回転すると、連結アーム２５５ｂがＸ３方向に移動し、今度は、取り付け部２５４ｃがＲ２方向に回転する。これによりシャッタ２５１ｃは、Ｒ２方向に回転し、「閉」の状態から「開」の状態となる。
【００５５】
そして取り付け部２５４ｃがＲ２方向に回転すると、連結アーム２５５ｃ、２５５ｄがＸ２方向に移動し、取り付け部２５４ｄ、２５４ｅがＲ２方向に回転する。よってシャッタ２５１ｄ、２５１ｅは、Ｒ２方向に回転し、「閉」の状態から「開」の状態となる。
【００５６】
以上のようにして連結棒２５８をＸ１方向に移動させることにより、全てのシャッタ２５１を「閉」の状態から「開」の状態とすることができる。そしてシャッタ２５１が「開」の状態となると、今までシャッタ２５１により閉鎖されていた隙間からカルシウム塩が落下し、これによりカルシウム塩を取り出すことができる。
【００５７】
なおシャッタ２５１を「開」から「閉」の状態にするには、上述した場合と逆の作業を行えばよい。つまり連結棒２５８をＸ２方向に移動させる（押し込む）と、縦アーム２５７の下部は、Ｘ１方向に移動しつつ回転する。そしてこれにより、横アーム２５６は、Ｘ１方向に移動し、連結アーム２５５ａがＸ２方向に移動する。さらに連結アーム２５５ｂがＸ４方向に移動し、連結アーム２５５ｃ、２５５ｄがＸ１方向に移動する。これによりシャフト２５３ａ、２５３ｂ、取り付け部２５４ａ、２５４ｂは、Ｒ２方向に回転し、シャフト２５３ｃ、２５３ｄ、２５３ｅ、取り付け部２５４ｃ、２５４ｄ、２５４ｅは、Ｒ１方向に回転する。これにより全てのシャッタ２５１が「開」の状態から「閉」の状態となる。
また、横アーム２５６の一端は、例えば取り付け部２５４ｃに取り付けられても良く、２５４ｃを起点として、連結アーム２５５ａ、２５５ｂ、２５５ｃ、２５５ｄを介して取り付け部２５４ａ、２５４ｂと取り付け部２５４ｄ、２５４ｅをそれぞれ反対方向に回転させてシャッタ２５１を開閉させても良い。
【００５８】
スリット部２５２は、シャッタ２５１の間に配され、上方からシャッタ２５１へ向かう斜面を有するとともに、この斜面に分解ガスは通過させる一方でカルシウム塩は通過させない大きさの開口部を有する分解ガス導入部として機能する。
即ち図５および図６に示すようにスリット部２５２は、斜面Ｓ１、Ｓ２を有する。この斜面Ｓ１と斜面Ｓ２は、互いに逆方向を向いており、上部において接合して頂部Ｐを形成する。つまりスリット部２５２は、シャッタ２５１の間で山形状をなし、頂部Ｐから両側のシャッタ２５１に向け延びている。
斜面Ｓ１、Ｓ２には開口部の一例としてスリット２５２ａが形成される。そしてこのスリット２５２ａは、例えばペレット状であるカルシウム塩を通さない幅として形成される。これにより分解ガスはスリット２５２ａを通過して酸成分除去装置２３２の内部に導入させることができるが、カルシウム塩は、通過できない。そのため上述したシャッタ２５１から取り出されない限り、酸成分除去装置２３２内に留まる。
【００５９】
スリット部２５２を斜面Ｓ１、Ｓ２を有する構成とすることで、分解ガスを酸成分除去装置２３２内に導入させる箇所の面積を増加させることができる。そのため分解ガスの導入が阻害されにくい。また例えばペレット状であるカルシウム塩は、この斜面Ｓ１、Ｓ２を滑り落ち、そしてシャッタ２５１の上部に到達することができる。そのためシャッタ２５１の箇所からより円滑にカルシウム塩を取り出すことができ、カルシウム塩が詰まる等の現象が生じにくくなる。
なお上述したカルシウム塩を排出するロータリーバルブは、図示した箇所よりさらに下方に存在し、シャッタ２５１から取り出されたカルシウム塩は、このロータリーバルブから最終的に排出される。またシャッタ２５１の開閉動作は、ロータリーバルブの動作と連動して行われる。つまりロータリーバルブからカルシウム塩を排出される際には、制御ユニット２４による制御により連結棒２５８をＸ１方向に移動させ、シャッタ２５１を「開」の状態としてカルシウム塩を取り出す処理を行う。また所定量のカルシウム塩がシャッタ２５１を通過した後は、連結棒２５８をＸ２方向に移動させ、シャッタ２５１を「閉」の状態としてカルシウム塩を取り出す処理を停止する。
【００６０】
粉末トラップ２３７は、カルシウム塩の交換の際などに酸成分除去装置２３２で生じたカルシウム塩の粉末等を除去するために設けられる。粉末トラップ２３７としては、金属メッシュフィルタ等を使用することができる。
【００６１】
＜過弗化物の処理装置の動作の説明＞
図８は、過弗化物の処理装置２の動作について説明したフローチャートである。
以後、図３および図８を使用して過弗化物の処理装置２の動作について説明を行う。
まず装置入口排ガスは、前処理ユニット２１の入口加熱器２１１を通過し、予熱が行われる（ステップ１０１）。これにより装置入口排ガス中に含まれるミストが蒸発する。
次に予熱された装置入口排ガスに空気を導入し、前処理ユニット２１のフィルタ２１２により微粒子が除去される（ステップ１０２）。
【００６２】
そして装置入口排ガスは、熱交換器２３１による熱交換により加熱される（ステップ１０３）。またこのとき過弗化物の分解反応に必要な水が添加される（ステップ１０４）。
熱交換器２３１を通過した装置入口排ガスは、第１加熱器２２１によりまず加熱され（ステップ１０５）、さらに第２加熱器２２２により過弗化物の分解に必要な温度にまでさらに加熱される（ステップ１０６）。そして第２加熱器２２２の触媒層２２２ｂを通過するときに過弗化物が分解し、装置入口排ガスは、ＨＦを含む分解ガスとなる（ステップ１０７）。
【００６３】
分解ガスは、再び熱交換器２３１に入り、前述の装置入口排ガスとの間で熱交換を行う（ステップ１０８）。
【００６４】
そして分解ガスは、酸成分除去装置２３２においてカルシウム塩と反応し、ＨＦが乾式除去される（ステップ１０９）。またこのとき制御ユニット２４は、ＨＦ濃度センサ２３６により取得されたＨＦ濃度が所定の値以上になったか否かを判断する（ステップ１１０）。そして所定の値以上になったとき（ステップ１１０でＹｅｓ）は、薬剤排出装置２３５と薬剤供給装置２３４を動作させ、カルシウム塩の交換を行う（ステップ１１１）。また所定の値未満であったとき（ステップ１１０でＮｏ）は、カルシウム塩の交換は行わず、次のステップ１１２に進む。
【００６５】
ＨＦが乾式除去された後の排気ガスは、粉末トラップ２３７により粉末が除去された後（ステップ１１２）、エゼクタ２３３により過弗化物の処理装置２外に排出される（ステップ１１３）。
【００６６】
以上詳述した過弗化物の処理装置２では、以下のような特徴点を有する。
（i）触媒層２２２ｂを利用して過弗化物の分解を行うため、大量のエッチング排ガスを処理することができるとともに運転コストを低減することができる。
(ii)分解ガス中に含まれるＨＦをカルシウム塩との吸着反応により乾式除去することで、従来の水にＨＦを溶解させてＨＦを除去する方法に対し、ＨＦを含む排水が生じない。また吸着反応後に生成するＣａＦ２は、無害であるとともにハンドリングが容易である。さらにＣａＦ２は、ＨＦを製造する原料となるため、有価物である。つまり地球環境に有害なエッチング排ガスから有価物であるＣａＦ２を製造することができる。
（iii）熱交換器２３１により装置入口排ガスと分解ガスとの間で熱交換を行うことで、エネルギーの利用効率が上昇する。また従来の分解ガスを水により冷却する方式に比べ、排水が生じない。そのため排水処理工程が不要となり過弗化物の処理装置２の運転コストを低減することができる。
(iv)酸成分除去装置２３２の上方に配される薬剤供給装置２３４と下方に薬剤排出装置２３５を有する薬剤層２３２ａを組み込むことで、単に弁を開くだけで重力を利用して落とし込むという簡便なシステムにより、カルシウム塩の交換を行うことができる。また本実施の形態では、分解ガスを下方から導入し、上方から排気するとともに、ＨＦ濃度センサ２３６を設け、ＨＦの濃度を監視することでカルシウム塩の交換時期の判断を行う。これにより薬剤層２３２ａの上層部は排出されず、下層部の反応済みのカルシウム塩のみが排出されるので、未反応のカルシウム塩がほとんど生じず、カルシウム塩の無駄な消費量を少なくすることができる。
(v)また本実施の形態では、酸成分除去装置２３２の底部を図５〜図７で示した構造とすることで、酸成分除去装置２３２の下方から分解ガスを導入する際に阻害されにくく、カルシウム塩を酸成分除去装置２３２の下方から取り出す際にも円滑に行うことができる。つまり本実施の形態の酸成分除去装置２３２は、分解ガスの導入とカルシウム塩の取り出しを同じ装置底部から行うことができるとともに、分解ガスの流通とカルシウム塩の流通とが互いに影響を与えにくい構造となっている。
【００６７】
＜実際の過弗化物の処理装置の説明＞
図９は、実際に製造された過弗化物の処理装置２を上方から見た図である。また図１０は、実際に製造された過弗化物の処理装置２を図９のＶＩＩ方向から見た図である。さらに図１１は、図９のＸ−Ｘ断面図である。即ち図１０、図１１は、過弗化物の処理装置２を水平方向から見た図となる。
図示するように実際の過弗化物の処理装置２は、上方から見た場合矩形領域の内部にほぼ全ての機器が配置されている。なお制御ユニット２４については、矩形領域の外部に配置されている。なお本実施の形態における矩形とは、長方形が基本形であるが、長方形に近い台形や平行四辺形や楕円形なども本実施の形態の特徴を逸脱しない範囲で矩形に含めることができる。
【００６８】
次に図９〜図１１における過弗化物の処理装置２の各機器の説明を行う。なお以後、制御ユニット２４が設置されている位置を上方から見たときに過弗化物の処理装置２の左下側であるとして説明を行う。
【００６９】
装置入口排ガスは、過弗化物の処理装置２の左下側から導入される。そして複数の配管を経由して図９中右方向に流され、過弗化物の処理装置２の下側に設置された入口加熱器２１１を通過する。そしてこのときに入口加熱器２１１に配されたヒータ２１１ａ（図３参照）により予熱が行われる。これにより装置入口排ガスに含まれるミストが蒸発する。また入口加熱器２１１を通過した装置入口排ガスは、さらに図９中右方向に流され、フィルタ２１２に導入され、装置入口排ガス中に含まれる微粒子が除去される。また図示はしていないが、入口加熱器２１１を通過した後の装置入口排ガス中に空気が導入される。
【００７０】
なお本実施の形態では、フィルタとしてフィルタ２１２のみではなく、予備フィルタ２１２ａを備えている。即ち、フィルタ２１２が閉塞する等の理由で交換が必要になった場合、フィルタ２１２に接続されている配管に設けられたバルブ等を操作することで、装置入口排ガスが流通する配管を切替え、予備フィルタ２１２ａに装置入口排ガスが流入するようにする。これによりフィルタ２１２の交換作業中に予備フィルタ２１２ａにより微粒子の除去が可能となり、過弗化物の処理装置２の運転を停止することなくフィルタ２１２の交換作業が可能となる。
【００７１】
フィルタ２１２を通過した後の装置入口排ガスは、配管Ｐ１により矢印Ａ方向に流れ、過弗化物の処理装置２の上側に設置された熱交換器２３１に入る。そして装置入口排ガスは、熱交換器２３１による熱交換により加熱される。また図示はしていないが、このとき熱交換器２３１には水が添加され、この水は水蒸気となって装置入口排ガスとともに運ばれる。
【００７２】
熱交換器２３１から排出された装置入口排ガスは、配管Ｐ２により矢印Ｂ方向に流れ、過弗化物の処理装置２の右下側に設置された第１加熱器２２１に入る。第１加熱器２２１は、横型の加熱器であり、図９中左側より装置入口排ガスが流入し、図９中右側より装置入口排ガスが排出される。そして第１加熱器２２１は、内部にヒータ２２１ａ（図３参照）が配され、装置入口排ガスが第１加熱器２２１内部を左側から右側に移動する際に、加熱が行われる。
【００７３】
次に第１加熱器２２１から排出された装置入口排ガスは、配管Ｐ３により矢印Ｃ方向に流れ、過弗化物の処理装置２の右上側に設置された第２加熱器２２２に入る。第２加熱器２２２は縦型の加熱器であり、上方にヒータ２２２ａ（図３参照）が配され、下方に触媒層２２２ｂ（図３参照）が配される。そして装置入口排ガスは、第２加熱器２２２の上方から流入し、ヒータ２２２ａにより過弗化物の分解温度にまで加熱されつつ、第２加熱器２２２の下方に流れる。そして触媒層２２２ｂにおいて、過弗化物は、装置入口排ガスと混合していた水（水蒸気）と反応し、分解される。そして分解後の生成物であるＨＦを含む酸性の分解ガスとなり、第２加熱器２２２の下方から排出される。
【００７４】
そして第２加熱器２２２から排出された分解ガスは、配管Ｐ４により矢印Ｄ方向に流れ、再び熱交換器２３１に入る。そして熱交換器２３１において、高温の分解ガスと低温の装置入口排ガスとの間で熱交換が行われる。
【００７５】
熱交換器２３１から排出された分解ガスは、配管Ｐ５により矢印Ｅ方向（図９中左方向）に流れ、過弗化物の処理装置２の上側に設置された酸成分除去装置２３２に入る。このとき分解ガスは、図１１からわかるように酸成分除去装置２３２の下方から流入し、酸成分除去装置２３２の上方に流れる。そしてこのときにカルシウム塩からなる薬剤層２３２ａ（図３参照）において分解ガスに含まれるＨＦが吸着反応を起こし、乾式除去される。そして無害化された排気ガスとなり、酸成分除去装置２３２の上方から排出される。
【００７６】
また酸成分除去装置２３２には、酸成分除去装置２３２の上部に薬剤供給装置２３４が設けられ、酸成分除去装置２３２の下部に薬剤排出装置２３５が設けられている。そしてＨＦ濃度センサ２３６により検知されるＨＦの濃度が予め定められた濃度以上になったときは、制御ユニット２４が、薬剤排出装置２３５に設けられたロータリーバルブＲｏ２の開閉を行い、所定量の使用済みのカルシウム塩を排出する。またこの際にシャッタ２５１は「開」の状態となっている。さらに使用済みのカルシウム塩を排出した後は、制御ユニット２４が、薬剤供給装置２３４に設けられたロータリーバルブＲｏ１の開閉を行い、排出した分の新たなカルシウム塩を供給する。
【００７７】
酸成分除去装置２３２から排出された排気ガスは、配管Ｐ６により矢印Ｆ方向（図９中左方向）に流れ、過弗化物の処理装置２の左上側に設置された粉末トラップ２３７に入る。そして粉末トラップ２３７により、カルシウム塩の粉末等が除去される。なお配管Ｐ６の途中には、ＨＦ濃度センサ２３６が配されており、排気ガス中に含まれるＨＦの濃度を測定する。また配管Ｐ６は、本実施の形態では、比較的長尺として、周囲に放熱フィンを備えている。これは酸成分除去装置２３２に接続され、エゼクタ２３３へ向かう配管Ｐ６は、矩形領域の他方の長辺側に沿って配され、排気ガスを冷却する放熱フィンを備えると言い換えることもできる。これにより排気ガスの温度をさらに低下させることができる。
【００７８】
そして粉末トラップ２３７から排出された排気ガスは、最後に過弗化物の処理装置２の左上側に設置されたエゼクタ２３３により吸引され、配管Ｐ７により矢印Ｇ方向（図９中上方向）に流れ、装置外部に排出される。
【００７９】
また上述した例では、半導体製造工場において排出されるエッチング排ガス中に含まれる過弗化物を処理する場合について説明したが、これに限られるものではないことはもちろんである。例えば、液晶製造工場等から排出されるエッチング排ガスやクリーニング排ガス中に含まれる過弗化物を処理する場合であってもよい。
【符号の説明】
【００８０】
１…半導体製造設備、２…過弗化物の処理装置、３…酸スクラバ、２１…前処理ユニット、２２…過弗化物分解ユニット、２３…ＨＦ吸着ユニット、２４…制御ユニット、２１１…入口加熱器、２１２…フィルタ、２２１…第１加熱器、２２２…第２加熱器、２３１…熱交換器、２３２…酸成分除去装置、２３３…エゼクタ、２５１…シャッタ、２５２…スリット部
【図１】
2014213217.tif 000003
【図２】
2014213217.tif 000004
【図３】
2014213217.tif 000005
【図４】
2014213217.tif 000006
【図５】
2014213217.tif 000007
【図６】
2014213217.tif 000008
【図７】
2014213217.tif 000009
【図８】
2014213217.tif 000010
【図９】
2014213217.tif 000011
【図１０】
2014213217.tif 000012
【図１１】
2014213217.tif 000013